(57)【要約】【課題】様々な手法による人物認識の手段が提案されているが、認識率を向上させるために有効なデータをいかに取得するかが課題となっている。【解決手段】撮像装置２０１は、被写体像を撮像する撮像部２０２と、撮像部２０２の出力を画像処理する画像処理部２０５と、特定被写体を認識する被写体認識用データを取得するのに適した被写体に関する参照画像を生成する参照画像生成部２０４と、回動自在に保持された表示器２１０と、画像処理部２０５の出力から抽出した被写体認識用データを記録する特定認識データ記憶部２０６と、表示器２１０を被写体と対向する方向に回動することにより、表示器２１０に参照画像と画像処理部２０５の出力とを表示するよう制御する表示制御部２０８と、を備える。【選択図】図２
2010268337.tif 000002
【特許請求の範囲】
【請求項１】
被写体像を撮像する撮像部と、
前記撮像部の出力を画像処理する画像処理部と、
特定被写体を認識する被写体認識用データを取得するのに適した被写体に関する参照画像を生成する参照画像生成部と、
回動自在に保持された表示部と、
前記画像処理部の出力から抽出した前記被写体認識用データを記録する特定認識データ記憶部と、
前記表示部を被写体と対向する方向に回動することにより、前記表示部に前記参照画像と前記画像処理部の出力とを表示するよう制御する表示制御部と、
を備える撮像装置。
【請求項２】
前記表示制御部は、
前記表示部に、前記参照画像と前記画像処理部の出力とを２画面表示するよう制御する
請求項１に記載の撮像装置。
【請求項３】
前記表示制御部は、
前記表示部に、前記参照画像と前記画像処理部の出力とを重畳表示するよう制御する
請求項１に記載の撮像装置。
【請求項４】
前記参照画像と前記画像処理部の出力とから抽出された特徴点データを比較する特徴点比較部を、さらに備え、
前記特定認識データ記憶部は、
前記特徴点比較部の比較結果を基に、前記被写体認識用データを記録する
請求項１から３の何れかに記載の撮像装置。
【発明の詳細な説明】
【技術分野】
【０００１】
本発明は、被写体像を撮像し、記録する撮像装置に関するものであり、特に特定被写体の個人認証を可能とする撮像装置に関するものである。
【背景技術】
【０００２】
近年、デジタル化された映像信号をＤＶＤ（Ｄｉｇｉｔａｌ  Ｖｅｒｓａｔｉｌｅ  Ｄｉｓｃ）などの光ディスクや、ＨＤＤ（ハードディスクドライブ）などの磁気ディスク、ＳＤカードなどのフラッシュメモリへ記録を行なう応用機器が普及し始めている。
【０００３】
また、デジタル信号処理の進化に伴い、撮像装置から入力された映像信号、またはメディアに記録された映像データを利用した人物特定認識が提案されている。
【先行技術文献】
【特許文献】
【０００４】
【特許文献１】特開２００８−１４６５３９号公報
【発明の概要】
【発明が解決しようとする課題】
【０００５】
しかしながら、デジタルスチルカメラやデジタルビデオカメラといった撮像装置において、人物特定認証の対象となる被写体は主に限られた特定の人物となるが、反面、被写体は様々な条件で撮影されるため、認識率を向上させるために、人物を特定するための有効な個人認証データをいかに取得するかが課題となっている。
【課題を解決するための手段】
【０００６】
本発明の撮像装置は、上記課題を解決するものであり、被写体像を撮像する撮像部と、前記撮像部の出力を画像処理する画像処理部と、特定被写体を認識する被写体認識用データを取得するのに適した被写体に関する参照画像を生成する参照画像生成部と、回動自在に保持された表示部と、前記画像処理部の出力から抽出した前記被写体認識用データを記録する特定認識データ記憶部と、前記表示部を被写体と対向する方向に回動することにより、前記表示部に前記参照画像と前記画像処理部の出力とを表示するよう制御する表示制御部と、を備える。
【発明の効果】
【０００７】
個人認証に適した顔の向き、表情などを参照画像として表示することにより、被写体が参照画像に合わせて顔の向き等を変えることで、高い人物認識率を得るためのデータを容易に取得することができる。
【図面の簡単な説明】
【０００８】
【図１】実施の形態１における撮像装置の表示部の表示形態の一例を表す図
【図２】実施の形態１における撮像装置の構成を示すブロック図
【図３】実施の形態１における認証用データの取得処理を示すフローチャート
【発明を実施するための形態】
【０００９】
（実施の形態１）
以下、図面を参照しながら、実施の形態１における人物特定認識データを作成する一例を詳細に説明する。
【００１０】
図２は、実施の形態１における撮像装置のブロック構成図を示している。以下、撮像装置２０１の構成について説明する。
【００１１】
撮像部２０２は、被写体像を撮像し、映像信号をデジタル信号化して、画像処理部２０５に出力する。撮像部２０２は、光学系、撮像素子、及びＡＤコンバータを含む。光学系は、対物レンズ、ズームレンズ、絞り、ＯＩＳ（Ｏｐｔｉｃａｌ  Ｉｍａｇｅ  Ｓｔａｂｉｌｉｚｅｒ）ユニット、フォーカスレンズ等を含み、被写体からの光を集光し、被写体像を形成する。撮像素子は、光学系で形成された被写体像を撮像して、画像データを生成する。撮像素子は、ＣＭＯＳイメージセンサー、またはＣＣＤイメージセンサーである。ＡＤコンバータは、撮像素子で生成された画像データをデジタル信号に変換する。
【００１２】
画像処理部２０５は、動作モードにより、撮像部２０２からの映像信号に対し動作に対応した信号処理を行う。例えば、動画撮影モードであった場合には、映像信号を圧縮し、メディアへの書き出しを担うメディア処理（図示せず）に対して出力を行う。
【００１３】
また、画像処理部２０５は、映像信号から人物特定認識データとしての個人認証用特徴点データと、顔の向きや表情等を表す比較用特徴点データを抽出し、抽出された特徴点データを特徴点比較部２０７に出力する。この時、画像処理部２０５は、表示処理部２０８に対して、撮像部２０２より入力された映像信号を信号処理することなく出力する。
【００１４】
参照画像格納部２０３は、高い認識率を得るために必要な顔の向きや表情のパターンデータを生成するためのデータを格納する。参照画像生成部２０４は、参照画像格納部２０３に格納されたデータを基に、参照画像を生成し、表示処理部２０８に対して出力を行う。なお、本実施の形態１では、参照画像生成部２０４が、参照画像格納部２０３に格納されたデータを基に、参照画像を生成する形態について説明するが、参照画像そのものが参照画像格納部２０３に格納された形態であってもよい。
【００１５】
また、同時に、参照画像生成部２０４は、特徴点比較部２０７に対して、画像処理部２０５から入力された比較用特徴点データと比較するための参照画像の特徴点データを生成し、出力を行う。参照画像生成部２０４が出力する特徴点データは、個人を認識するための特徴点データではなく、画像における顔の向きや表情のパターンを表す特徴点データである。
【００１６】
特徴点比較部２０７は、画像処理部２０５からの比較用特徴点データと参照画像生成部２０４からの特徴点データの比較を行い、好ましいと判断された場合には、人物特定認識データ記憶部２０６に、個人認証用特徴点データを記憶する。
【００１７】
また、この時、特徴点比較部２０７は、表示処理部２０８に被写体に対して、好ましいデータの取得ができたことの表示指示を行い、またスピーカー２０９により、なんらかの通知音の発生を行う。
【００１８】
人物特定認識データ記憶部２０６は、個人認証用特徴点データを記憶し、参照画像生成部２０４に対して、次の顔の向きや表情のパターンデータの参照画像生成の指示を行う。
【００１９】
表示処理部２０８は、画像処理部２０５と参照画像生成部２０４から入力された映像信号を合成し、表示器２１０に出力する。また、表示処理部２０８は、特徴点比較部２０７より好ましい人物特定認識データの取得が通知されると、表示器２１０の画面上に表示するアイコン等を生成し、好ましい人物特定認識データが取得されたことを被写体に対して通知する。
【００２０】
表示器２１０は、図１に示すように撮像中の画像と参照画像とを左右に２分割した表示画像を表示する。なお、本実施の形態１では、表示処理部２０８は、画像処理部２０５と参照画像生成部２０４から入力された映像信号を２分割画面にて表示する一例を述べているが、画像処理部２０５と参照画像生成部２０４から入力された映像信号を重畳し、１画面として表示する形態であってもよい。
【００２１】
以下に、撮像装置２０１の人物特定認識データの取得動作を、図１、図２、及び図３を用いて説明する。
【００２２】
ユーザは、撮像装置２０１の表示器２１０を回動することにより、表示器２１０は、被写体に対向する。この時、撮像部２０２で撮像された映像信号は、画像処理部２０５及び表示処理部２０８を経由し、表示器２１０に図１の１０３のように表示される。さらに、撮像部２０２は、被写体を映し出す映像信号をデジタル信号化し、画像処理部２０５に出力する（Ｓ３０２）。
【００２３】
次に、ユーザが、ボタン等からなる操作部（図示せず）を操作し、撮像装置２０１を人物特定認識モードに設定すると、参照画像生成部２０４は、参照画像格納部２０３に格納された高い認識率を得るために必要な顔の向きや表情のパターンデータから、まず、最初に評価されるべきパターンを基に、参照画像を生成する（Ｓ３０３）。参照画像生成部２０４で生成された参照画像は、表示処理部２０８を経由し、表示器２１０に図１の１０２のように表示される。参照画像生成部２０４は、同時に、画像における顔の向きや表情のパターンを表す特徴点データを生成する。
【００２４】
なお、本実施の形態１では、表示器２１０を回動した後に、人物特定認識モードに設定することにより、表示器２１０に参照画像を表示する形態について説明したが、この形態に限られず、先に人物認識モードへの設定を行い、撮像装置２０１が人物認識モードの時に、表示器２１０を回動することにより、表示器２１０に参照画像を表示する形態であってもよい。
【００２５】
画像処理部２０５は、撮像部２０２から入力された映像信号に対して画像処理を行い、人物特定認識データとなり得る個人認証用特徴点データを生成する。また、この時、同時に参照画像生成部２０４にて生成された特徴点データと比較を行うための顔の向きや表情等を表す比較用特徴点データを生成する（Ｓ３０４）。
【００２６】
特徴点比較部２０７は、画像処理部２０５および参照画像生成部２０４で生成された特徴点データの比較を行う（Ｓ３０５）。特徴点比較部２０７は、画像処理部２０５および参照画像生成部２０４で生成された特徴点データの類似性が低く、人物特定認識データとして好ましくないと判断すると（Ｓ３０６でＮｏ）、次に撮像部２０２で撮像された画像（Ｓ３０２）との比較に戻り、Ｓ３０２からＳ３０６までの処理を繰り返す。
【００２７】
反対に、特徴点比較部２０７が、画像処理部２０５および参照画像生成部２０４で生成された特徴点データの類似性が高く、人物特定認識データとして好ましいと判断すると（Ｓ３０６でＹｅｓ）、人物特定認識データ記憶部２０６に対して、画像処理部２０５にて生成された個人認証用特徴点データを、人物特定認識データとして記憶する。
【００２８】
また、特徴点比較部２０７は、人物特定認識データとして好ましいと判断すると（Ｓ３０６でＹｅｓ）、表示処理部２０８に対して人物特定認識データとして好ましいと判断したことを表示器２１０に対して対向している被写体に通知するように指示を行う。
【００２９】
特徴点比較部２０７より指示された表示処理部２０８は、例えば画面をブリンクさせたり、ダイアログを表示させたりすることにより表示器２１０に対向している被写体に通知を行う。
【００３０】
さらに、特徴点比較部２０７は、人物特定認識データとして好ましいと判断すると（Ｓ３０６でＹｅｓ）、表示器２１０に対して対向している被写体に通知するために、スピーカー２０９からビープ音や音声等にて、人物特定認識データとして好ましいと判断したことの通知を行う。
【００３１】
人物特定認識データ記憶部２０６は、人物特定認識データとして個人認証用特徴点データを本体内のメモリなどに記憶する（Ｓ３０７）。
【００３２】
なお、本実施の形態１では、特徴点比較部２０７による比較結果を基に、人物特定認識データ記憶部２０６に個人認証用特徴点データを記憶する形態について説明したが、この形態に限られず、画像処理部２０５が個人認証用特徴点データを抽出するにあたって、抽出した特徴点データの信頼度を併せて算出し、その信頼度が所定の値より大きい場合に、個人認証用特徴点データを人物特定認識データ記憶部２０６に記憶する形態であってもよい。
【００３３】
そして、高い認識率を得るために十分な人物特定認識データが揃っていないと判断した（Ｓ３０８でＮｏ）場合は、参照画像生成部２０４に対して、次に評価されるべき顔の向きや表情のパターンデータを基に参照画像を生成する（Ｓ３０３）。高い認識率を得るために十分な人物特定認識データが揃うまでＳ３０３からＳ３０８までの処理を繰り返す。
【００３４】
人物特定認識データ記憶部２０６にて、高い認識率を得るために十分な人物特定認識データが揃っていると判断（Ｓ３０８でＹｅｓ）されると、人物特定認識モードが終了する（Ｓ３０９）。
【００３５】
以上が、実施の一例での人物特定認識データの取得の手順となる。
【００３６】
以上のように、撮像装置２０１は、個人認証に適した顔の向き、表情などを参照画像として、撮像中の画像とともに表示することにより、被写体が参照画像に合わせて顔の向き等を変えることで、容易に高い人物特定認識データの取得を行うことができる。
【００３７】
なお、撮像装置２０１は、動画を撮像するデジタルビデオカメラであってもよいし、静止画を撮像するデジタルスチルカメラであってもよい。
【産業上の利用可能性】
【００３８】
撮像装置から入力された映像信号に対してのデジタル信号処理を備えたデジタルスチルカメラやデジタルビデオカメラに対して適用ができる。
【符号の説明】
【００３９】
２０１  撮像装置
２０２  撮像部
２０３  参照画像格納部
２０４  参照画像生成部
２０５  画像処理部
２０６  人物特定認識データ記憶部
２０７  特徴点比較部
２０８  表示処理部
２０９  スピーカー
２１０  表示器
【図１】
2010268337.tif 000003
【図２】
2010268337.tif 000004
【図３】
2010268337.tif 000005